(57)【要約】【課題】プリント配線基板に各種電子部品を実装した後からでも装着が容易なノイズフィルタを提供すること。【解決手段】ノイズフィルタ３１は、誘電体シート３の上面に金属基部３５を介してコイルバネ３２を固定してなる。誘電体シート３は半田付け部３Ａを介してプリント配線基板の導体パターン固定され、コイルバネ３２の上端面は接地導体に圧接される。このため、ノイズフィルタ３１は、コイルバネ３２が圧縮状態となるようにしてプリント配線基板と接地導体の間に装着される。コイルバネ３２は良好なインダクタンスを有するので、誘電体シート３と当該インダクタンスとが上記導体パターンと上記接地導体との間に直列に配設されることで、フィルタが形成され、ノイズを除去することが可能となる。【選択図】図４
2011100886.tif 000002
【特許請求の範囲】
【請求項１】
金属製のバネ材と、
該バネ材の伸縮方向一端に、直接または導体を挟んで固定された誘電体層と、
を備え、
上記バネ材の他端または上記誘電体層の上記バネ材とは反対側の端面が、プリント配線基板の表面に形成された導体パターンに取付可能に構成されたことを特徴とするノイズフィルタ。
【請求項２】
上記バネ材は、コイルバネであることを特徴とする請求項１記載のノイズフィルタ。
【請求項３】
上記コイルバネの内側に、弾性変形していないときの当該コイルバネよりも短い磁性体の芯材が挿入されたことを請求項２記載のノイズフィルタ。
【請求項４】
上記誘電体層の上記バネ材とは反対側の端面が上記導体パターンに取付可能に構成されると共に、
上記コイルバネの内側に設けられ、上記誘電体層と反対側の端面が自動実装機の吸着ノズルのための吸着面とされる吸着部を、
更に備えたことを特徴とする請求項２または３記載のノイズフィルタ。
【発明の詳細な説明】
【技術分野】
【０００１】
本発明は、プリント配線基板の表面に形成された導体パターンに取り付けられ、その導体パターンを流れるノイズを除去するノイズフィルタに関し、詳しくは、上記プリント配線基板に各種電子部品を実装した後からでも装着が容易なノイズフィルタに関する。
【背景技術】
【０００２】
従来より、プリント配線基板の表面に形成された導体パターンを流れるノイズを除去するため、その導体パターンとグランド等の定電位との間に、コイルとコンデンサとを直列に接続してなるノイズフィルタ、いわゆるＬＣフィルタを配設することが考えられている。また、この種のノイズフィルタでは、１つの素子にインダクタンスを得るための導体パターンとコンデンサを得るための導体パターンとを形成し、その素子から突出した端子を上記導体パターンとグランドとに接続することでＬＣフィルタを構成可能とすることも提案されている（例えば、特許文献１参照）。
【先行技術文献】
【特許文献】
【０００３】
【特許文献１】実開昭６３−１５８０２５号公報
【発明の概要】
【発明が解決しようとする課題】
【０００４】
ところが、上記特許文献１のようなノイズフィルタを使用するためには、ノイズ対策を施したい導体パターンの近傍にグランドが存在しなければならない。プリント配線基板の設計時から、ノイズ対策を施すべき導体パターンの近傍にグランドを設けておけばよいのであるが、プリント配線基板に各種電子部品等を実装した後から新たにノイズ対策を施すべき箇所が判明した場合などは、プリント配線基板の設計からやり直す必要が生じる。そこで、本発明は、プリント配線基板に各種電子部品を実装した後からでも装着が容易なノイズフィルタを提供することを目的としてなされた。
【課題を解決するための手段】
【０００５】
上記目的を達するためになされた本発明のノイズフィルタは、金属製のバネ材と、該バネ材の伸縮方向一端に、直接または導体を挟んで固定された誘電体層と、を備え、上記バネ材の他端または上記誘電体層の上記バネ材とは反対側の端面が、プリント配線基板の表面に形成された導体パターンに取付可能に構成されたことを特徴としている。
【０００６】
このように構成された本発明のノイズフィルタは、金属製のバネ材の伸縮方向一端に直接または導体を挟んで誘電体層が固定されており、上記バネ材の他端または上記誘電体層の上記バネ材とは反対側の端面が、プリント配線基板の表面に形成された導体パターンに取り付けられる。一方、この種のプリント配線基板の表面には、接地導体，シールド板，筐体等の定電位となる導電板が間隔を開けて対向配置される場合が多い。そこで、本発明のノイズフィルタは、その導電板との間にバネ材が圧縮状態となるようにして装着される。すると、バネ材がインダクタンスを有していることから、上記導体パターンと上記導電板との間には、インダクタンスと誘電体とを直列に配設したフィルタが形成される。このため、本発明のノイズフィルタは、プリント配線基板に各種電子部品を実装した後からでも容易に装着することができ、プリント配線基板上の所望の導体パターンに対して容易にノイズ対策を施すことができる。
【０００７】
なお、上記バネ材は、コイルバネであってもよく、その場合、次のような更なる作用・効果が生じる。すなわち、上記バネ材がコイルバネであると、巻き線数，径によってインダクタンスをコントロールすることができ、一層良好にノイズを除去することができる。
【０００８】
そして、更にその場合、上記コイルバネの内側に、弾性変形していないときの当該コイルバネよりも短い磁性体の芯材が挿入されてもよい。この場合、コイルバネの内側に磁性体の芯材が挿入されたことにより、そのコイルバネのインダクタンスが一層向上する。このため、インダクタンスを一層良好にコントロールすることができ、より一層良好にノイズを除去することができる。また、上記芯材は、弾性変形していないときの当該コイルバネよりも短いので、そのコイルバネを上記のように圧縮状態となるようにして上記導電板との間に装着する際も、コイルバネの変形を阻害しない。
【０００９】
また、前述のように上記バネ材がコイルバネである場合、上記誘電体層の上記バネ材とは反対側の端面が上記導体パターンに取付可能に構成されると共に、上記コイルバネの内側に設けられ、上記誘電体層と反対側の端面が自動実装機の吸着ノズルのための吸着面とされる吸着部を、更に備えてもよい。この場合、上記コイルバネの上記誘電体層とは反対側の端部からそのコイルバネの内側に上記吸着ノズルを挿入すれば、その吸着ノズルによって上記吸着部の吸着面を吸着して当該ノイズフィルタをキャリアテープ等から取り出すことができる。また、上記誘電体層の上記バネ材とは反対側の端面が上記導体パターンに取付可能に構成されているので、上記のように吸着ノズルによって吸着されたノイズフィルタは、そのまま誘電体層側を下にして上記導体パターンに実装することができる。従って、この場合、本発明のノイズフィルタの実装が一層容易になる。
【図面の簡単な説明】
【００１０】
【図１】第１実施例のノイズフィルタの構成を表す平面図（Ａ）、正面図（Ｂ）、底面図（Ｃ）である。
【図２】そのノイズフィルタの使用状態を表す正面図である。
【図３】第２実施例のノイズフィルタの構成を表す正面図である。
【図４】第３実施例のノイズフィルタの構成を表す平面図（Ａ）、正面図（Ｂ）である。
【図５】第４実施例のノイズフィルタの構成を表す正面図（Ｃ）、並びに、当該ノイズフィルタの芯材の構成を表す平面図（Ａ）、正面図（Ｂ）である。
【発明を実施するための形態】
【００１１】
次に、本発明の実施例等により発明の実施の形態を説明する。なお、本発明は下記の実施例等に限定されるものではなく、本発明の要旨を逸脱しない範囲でさまざまに実施できることは言うまでもない。
【００１２】
［第１実施例］
図１は第１実施例のノイズフィルタ１の構成を表す図で、（Ａ）は平面図、（Ｂ）は正面図、（Ｃ）は底面図である。図１に示すように、このノイズフィルタ１は、バネ材２と、誘電体層の一例としての誘電体シート３とから構成されている。なお、後述のように、このノイズフィルタ１は、誘電体シート３をプリント配線基板９１（図２参照）側（以下、下側という）に向けて使用される。
【００１３】
誘電体シート３は、チタン酸バリウム，アルミナ，酸化亜鉛などの誘電体を矩形の薄板状に成形してなるものである。また、誘電体シート３の下面には、対向する一対の辺に沿って、半田付け用電極を塗布することにより半田付け部３Ａが形成されている。
【００１４】
バネ材２は、長尺の矩形に打ち抜かれたバネ性金属（例えばリン青銅，ベリリウム銅，ＳＵＳ等）からなる１枚の薄板を折り曲げて形成されている。図１に示すように、バネ材２は、誘電体シート３の上面に固定される基部２Ａを備えている。基部２Ａの一端には、正面視アーチ状に湾曲した折り返し部２Ｂを介して、基部２Ａの上方に傾斜して配設される傾斜部２Ｃの一端が連接されている。この傾斜部２Ｃの他端には、正面視アーチ状に湾曲した折り返し部２Ｄを介して、基部２Ａと平行に配設される圧接部２Ｅの一端が連接され、更にその圧接部２Ｅの他端には正面視アーチ状に下方にカールした先端部２Ｆが連接されている。
【００１５】
このため、圧接部２Ｅが何らかの物体によって下方に押圧されたとき、バネ材２は折り返し部２Ｂ，２Ｄを中心に弾性変形して、圧接部２Ｅが当該物体に圧接する状態になる。また、圧接部２Ｅの上面は誘電体シート３の下面と平行であり、当該上面は図示省略した自動実装機の吸着ノズルのための吸着面となる。
【００１６】
図２は、ノイズフィルタ１の使用状態を表す正面図である。図２に示すように、ノイズフィルタ１は、エンボステープの窪み等に収納された状態から前述のように圧接部２Ｅの上面が自動実装機の吸着ノズルに吸着されることにより、プリント配線基板９１の表面に形成された導体パターン（図示省略）上に載置され、半田付け部３Ａを介してその導体パターンに固定される。続いて、圧接部２Ｅに接地導体９２（シールド板や筐体等、他の導電板であってもよい）が圧接されると、ノイズフィルタ１は、その接地導体９２とプリント配線基板９１との間にバネ材２が圧縮状態となるようにして装着される。
【００１７】
すると、バネ材２がインダクタンスを有していることから、上記導体パターンと接地導体９２との間には、インダクタンス（バネ材２）と誘電体（誘電体シート３）とを直列に配設したフィルタが形成される。このため、ノイズフィルタ１は、プリント配線基板９１に各種電子部品を実装した後からでも容易に装着することができ、プリント配線基板９１上の所望の導体パターンに対して容易にノイズ対策を施すことができる。
【００１８】
なお、誘電体シート３をチタン酸バリウムを主成分とする誘電体で構成した場合は、誘電体シート３は主にコンデンサとして作用し、通常のＬＣフィルタを上記導体パターンに接続した場合と同様にノイズを除去する効果が得られる。また、誘電体シート３を酸化亜鉛を主成分とする誘電体で構成した場合は、誘電体シート３は主にバリスタとして作用し、バリスタとインダクタンスとを直列接続したタイプのフィルタを上記導体パターンに接続した場合と同様にノイズを除去する効果が得られる。
【００１９】
［第２実施例］
図３は、第２実施例のノイズフィルタ２１の構成を表す正面図である。このノイズフィルタ２１は、バネ材２の基部２Ａの下面に誘電体シート３を固定する代わりに、圧接部２Ｅの上面に誘電体シート２３を固定している。この場合、基部２Ａの下面が上記導体パターン等にリフロー半田付け等によって固定され、誘電体シート２３の上面が上記吸着ノズルの吸着面とされると共に接地導体９２を圧接される。このように構成されたノイズフィルタ２１でも、ノイズフィルタ１とほぼ同様の作用・効果が生じる。なお、ノイズフィルタ２１では、誘電体シート２３に半田付け部を形成する必要がない。
【００２０】
［第３実施例］
図４は第３実施例のノイズフィルタ３１の構成を表す図で、（Ａ）は平面図、（Ｂ）は正面図である。このノイズフィルタ３１では、第１実施例と同様の誘電体シート３の上面に、導体の一例としての金属基部３５を介してバネ材の一例としてのコイルバネ３２を固定している。金属基部３５は、黄銅、リン青銅、ベリリウム銅、ステンレス等の板金製である。コイルバネ３２は、ピアノ線、ベリリウム銅、ステンレス等の線材で形成されている。なお、両者とも、すずめっき等が施されることがある。
【００２１】
金属基部３５は、誘電体シート３の上面に固定される矩形薄板状の基板部３５Ａを備え、その基板部３５Ａの中心部には吸着部の一例としての突起３５Ｂが立設されている。突起３５Ｂは円筒状で、その上端面３５Ｃは基板部３５Ａの表面と平行である。この上端面３５Ｃは、上記吸着ノズルのための吸着面となっている。
【００２２】
コイルバネ３２は、内径がほぼ一定しており、下端部から２〜３巻きの範囲が突起３５Ｂの全体に亘って嵌着させられている。コイルバネ３２の上端面は、前述の接地導体９２等に圧接される。このため、ノイズフィルタ３１は、コイルバネ３２が圧縮状態となるようにしてプリント配線基板９１と接地導体９２との間に装着される。
【００２３】
このように構成された本実施例のノイズフィルタ３１では、バネ材をコイルバネ３２によって構成しているので、一層良好なインダクタンスを有する。このため、本実施例では、第１実施例と同様の効果に加えて、コイルバネ３２の巻き線数，径によってインダクタンスをコントロールすることができ、一層良好に上記ノイズを除去することができるといった効果が生じる。また、コイルバネ３２の内側に吸着ノズルのための吸着面（突起３５Ｂの上端面３５Ｃ）が配設されるので、ノイズフィルタ３１はエンボステープの窪み等から一層安定して取り出すことができる。そして、このように吸着ノズルによって吸着されたノイズフィルタ３１は、そのまま誘電体シート３を下にして上記導体パターン上に容易に実装することができる。
【００２４】
［第４実施例］
図５（Ｃ）は、第４実施例のノイズフィルタ４１の構成を表す正面図である、このノイズフィルタ４１は、突起３５Ｂの上端面３５Ｃに、次のような芯材４５を固定した点においてノイズフィルタ３１と異なり、他はノイズフィルタ３１と同様に構成されている。図５（Ａ）の平面図、及び、図５（Ｂ）の正面図に示すように、芯材４５は、コイルバネ３２の内径よりも径が小さく、かつコイルバネ３２よりも短い円柱状に、フェライト等の磁性体によって成形されている。芯材４５の一端を突起３５Ｂの上端面３５Ｃ固定した状態では、弾性変形していないコイルバネ３２の上端よりも芯材４５の上端の方が低く配設される。このため、コイルバネ３２を上記のように圧縮状態となるようにしてプリント配線基板９１と接地導体９２との間に装着する際も、コイルバネ３２の変形が阻害されない。
【００２５】
なお、ノイズフィルタ４１では、芯材４５の上端面が上記吸着ノズルのための吸着面となる。このように構成された本実施例のノイズフィルタ４１では、コイルバネ３２に磁性体からなる芯材４５を挿入したことにより、コイルバネ３２のインダクタンスが一層向上する。このため、一層良好にインダクタンスをコントロールすることができ、一層良好に上記ノイズを除去することができる。
【００２６】
［他の実施例］
更に、本発明は上記各実施例に何等限定されるものではなく、本発明の要旨を逸脱しない範囲で種々の形態で実施することができる。例えば、第３，第４実施例でも、第２実施例と同様に、コイルバネ３２の上端面に誘電体シートを固定してもよい。この場合、基板部３５Ａの下面が上記導体パターンに半田付けされる。また、前述のバネ材２やコイルバネ３２の表面には磁性材を塗布，メッキ，蒸着，スパッタ等の手法によって付着させてもよく、その場合、インダクタンスを更に向上させて一層良好に上記ノイズを除去することができる。更に、誘電体シート３は端子を突出されてその端子を介して上記導体パターンに取り付けられてもよい。
【符号の説明】
【００２７】
１，２１，３１，４１…ノイズフィルタ      ２…バネ材
３，２３…誘電体シート                    ３Ａ…半田付け部
３２…コイルバネ                          ３５…金属基部
３５Ａ…基板部                            ３５Ｂ…突起
３５Ｃ…上端面                            ４５…芯材
９１…プリント配線基板                    ９２…接地導体
【図１】
2011100886.tif 000003
【図２】
2011100886.tif 000004
【図３】
2011100886.tif 000005
【図４】
2011100886.tif 000006
【図５】
2011100886.tif 000007